(57)【要約】【課題】オーディオ・ビジュアルデータを再生する装置側から、送信されるデータの種類を変更することが可能なオーディオ・ビジュアルデータ通信システム、及び、そのシステムを実現するためのオーディオ・ビジュアルデータ送信装置及びオーディオ・ビジュアルデータ再生装置を提供する。【解決手段】オーディオデータ再生スピーカ３は、オーディオデータ送信装置から送信されるデータの変更の指示を入力する指示入力部３３と、その指示に基づいてデータの変更を要求するメッセージを生成するメッセージ生成部３２と、そのメッセージを送信するメッセージ送信部３１を有する。また、オーディオデータ送信装置は、メッセージ送信部３１から送信されるメッセージを受信するメッセージ受信部と、そのメッセージに従ってデータの設定を行うデータ設定部と、そのデータを参照して送信データを生成するデータ生成部と、その送信データを送信するデータ送信部を有する。【選択図】  図１
2006101496.tif 000002
【特許請求の範囲】
【請求項１】
オーディオ・ビジュアルデータ送信装置から電力線を介してデータを送信し、オーディオ・ビジュアルデータ再生装置で受信して再生するオーディオ・ビジュアルデータ通信システムであって、
前記オーディオ・ビジュアルデータ再生装置が、
前記オーディオ・ビジュアルデータ送信装置から送信されるデータを変更するための指示を入力する指示入力部と、
前記指示入力部から入力された指示に基づいて、前記オーディオ・ビジュアルデータ送信装置が送信するデータの変更を要求するメッセージを生成するメッセージ生成部と、
前記メッセージ生成部が生成したメッセージを前記オーディオ・ビジュアルデータ送信装置に対して送信するメッセージ送信部を有し、
前記オーディオ・ビジュアルデータ送信装置が、
前記メッセージ送信部から送信されるメッセージを受信するメッセージ受信部と、
前記メッセージ受信部が受信したメッセージに従って、前記オーディオ・ビジュアルデータ再生装置に送信するデータの設定を行うデータ設定部と、
前記データ設定部で設定されたデータを参照して、前記オーディオ・ビジュアルデータ再生装置に送信する送信データの生成を行うデータ生成部と、
前記データ生成部で生成された送信データを、前記オーディオ・ビジュアルデータ再生装置に送信するデータ送信部と、
を有することを特徴とするオーディオ・ビジュアルデータ通信システム。
【請求項２】
前記オーディオ・ビジュアルデータ送信装置が、同一のオーディオ・ビジュアルデータを識別するためのグループＩＤを記憶する第１のグループＩＤ記憶部を更に有するとともに、前記オーディオ・ビジュアルデータ再生装置が、前記グループＩＤを記憶する第２のグループＩＤ記憶部を更に有し、
前記データ生成部が、前記第１のグループＩＤ記憶部に記憶されているグループＩＤを含む送信データを生成し、
前記オーディオ・ビジュアルデータ再生装置がデータを受信する際に、前記データ送信部から送信される送信データに含まれるグループＩＤが、前記第２のグループＩＤ記憶部に記憶されているグループＩＤと一致する場合にデータを受信することを特徴とする請求項１に記載のオーディオ・ビジュアルデータ通信システム。
【請求項３】
前記オーディオ・ビジュアルデータ再生装置が、複数の部屋に配置され、
前記第２のグループＩＤ記憶部の前記グループＩＤが、前記部屋の利用目的毎に割り当てられていることを特徴とする請求項２に記載のオーディオ・ビジュアルデータ通信システム。
【請求項４】
オーディオ・ビジュアルデータ再生装置に対して電力線を介してデータを送信するオーディオ・ビジュアルデータ送信装置であって、
前記オーディオ・ビジュアルデータ再生装置ごとに割り当てられる固有のＩＤである識別ＩＤ、同一のオーディオ・ビジュアルデータを識別するためのＩＤであるグループＩＤ、及び、オーディオ・ビジュアルデータを記憶するデータ記憶部と、
前記オーディオ・ビジュアルデータ再生装置に送信するデータの変更を要求するためのメッセージを受信するメッセージ受信部と、
前記メッセージ受信部が受信したメッセージに従って、前記オーディオ・ビジュアルデータ再生装置に対して送信するデータを設定するデータ設定部と、
前記データ記憶部に記憶されているデータと前記データ設定部で設定されたデータを参照して、送信データを生成するデータ生成部と、
前記データ生成部で生成された送信データを、前記オーディオ・ビジュアルデータ再生装置に対して電力線を介して送信するデータ送信部と、
を有することを特徴とするオーディオ・ビジュアルデータ送信装置。
【請求項５】
前記データ設定部が、
オーディオ・ビジュアルデータの音量、あるいは、オーディオ・ビジュアルデータの種類、あるいは、オーディオ・ビジュアルデータの送信元であるオーディオ・ビジュアルデータ送信装置を変更するための設定を行うことを特徴とする請求項４に記載のオーディオ・ビジュアルデータ送信装置。
【請求項６】
オーディオ・ビジュアルデータ送信装置から電力線を介してデータを受信するオーディオ・ビジュアルデータ再生装置であって、
前記オーディオ・ビジュアルデータ再生装置ごとに割り当てられる固有のＩＤである識別ＩＤ、及び、同一のオーディオ・ビジュアルデータを識別するためのＩＤであるグループＩＤを記憶するデータ記憶部と、
前記データ記憶部に記憶されているデータを参照することにより、前記オーディオ・ビジュアルデータ送信装置から電力線を介して送信されるデータを受信するか否かを決定するデータ受信部と、
前記データ受信部が受信したデータを再生するオーディオ・ビジュアルデータ再生部と、
前記オーディオ・ビジュアルデータ再生部で再生するデータを変更するための指示を入力する指示入力部と、
前記指示入力部から入力された指示に基づいて、前記オーディオ・ビジュアルデータ送信装置に対して送信するデータの変更を要求するためのメッセージを生成するメッセージ生成部と、
前記メッセージ生成部が生成したメッセージを電力線を介して前記オーディオ・ビジュアルデータ送信装置に対して送信するメッセージ送信部と、
を有することを特徴とするオーディオ・ビジュアルデータ再生装置。
【発明の詳細な説明】
【技術分野】
【０００１】
本発明は、電力線を介してデータの通信を行うオーディオ・ビジュアルデータ通信システム、オーディオ・ビジュアルデータ送信装置及びオーディオ・ビジュアルデータ再生装置に関する。
【背景技術】
【０００２】
従来、オーディオデータ送信装置からデータを、オーディオデータ再生スピーカに対して出力して再生する技術として、特許文献１に記載されているスピーカシステムが知られている。
このスピーカシステムでは、１台のオーディオデータ送信装置から無線を介して、複数台設置されるオーディオデータ再生スピーカに対してオーディオデータを送信している。これにより、それぞれのスピーカに異なる種類のオーディオデータを再生させることを可能としている。
【０００３】
しかし、オーディオデータ送信装置からオーディオデータ再生スピーカに対してデータを送信する構成となっているため、オーディオデータ再生スピーカからオーディオデータ送信装置に対してデータを送信することはできなかった。
このため、オーディオデータ送信装置とオーディオデータ再生スピーカとが別々の部屋に存在するような場合には、オーディオデータ再生スピーカ側から音量や再生するオーディオデータの変更を行うことができず、ユーザにとって不便であるという問題があった。
【特許文献１】特開２００１−２７５１９４号公報
【発明の開示】
【発明が解決しようとする課題】
【０００４】
本発明は上記事情を考慮してなされたもので、その目的は、オーディオ・ビジュアルデータを再生する装置側から、送信されるデータの種類を変更することが可能なオーディオ・ビジュアルデータ通信システム、及び、そのシステムを実現するためのオーディオ・ビジュアルデータ送信装置及びオーディオ・ビジュアルデータ再生装置を提供することにある。
【課題を解決するための手段】
【０００５】
請求項１に記載の発明は、オーディオ・ビジュアルデータ送信装置から電力線を介してデータを送信し、オーディオ・ビジュアルデータ再生装置で受信して再生するオーディオ・ビジュアルデータ通信システムであって、前記オーディオ・ビジュアルデータ再生装置が、前記オーディオ・ビジュアルデータ送信装置から送信されるデータを変更するための指示を入力する指示入力部と、前記指示入力部から入力された指示に基づいて、前記オーディオ・ビジュアルデータ送信装置が送信するデータの変更を要求するメッセージを生成するメッセージ生成部と、前記メッセージ生成部が生成したメッセージを前記オーディオ・ビジュアルデータ送信装置に対して送信するメッセージ送信部を有し、前記オーディオ・ビジュアルデータ送信装置が、前記メッセージ送信部から送信されるメッセージを受信するメッセージ受信部と、前記メッセージ受信部が受信したメッセージに従って、前記オーディオ・ビジュアルデータ再生装置に送信するデータの設定を行うデータ設定部と、前記データ設定部で設定されたデータを参照して、前記オーディオ・ビジュアルデータ再生装置に送信する送信データの生成を行うデータ生成部と、前記データ生成部で生成された送信データを、前記オーディオ・ビジュアルデータ再生装置に送信するデータ送信部とを有することを特徴とするオーディオ・ビジュアルデータ通信システムである。      
【０００６】
また、請求項２に記載の発明は、前記オーディオ・ビジュアルデータ送信装置が、同一のオーディオ・ビジュアルデータを識別するためのグループＩＤを記憶する第１のグループＩＤ記憶部を更に有するとともに、前記オーディオ・ビジュアルデータ再生装置が、前記グループＩＤを記憶する第２のグループＩＤ記憶部を更に有し、前記データ生成部が、前記第１のグループＩＤ記憶部に記憶されているグループＩＤを含む送信データを生成し、前記オーディオ・ビジュアルデータ再生装置がデータを受信する際に、前記データ送信部から送信される送信データに含まれるグループＩＤが、前記第２のグループＩＤ記憶部に記憶されているグループＩＤと一致する場合にデータを受信することを特徴とする請求項１に記載のオーディオ・ビジュアルデータ通信システムである。
【０００７】
また、請求項３に記載の発明は、前記オーディオ・ビジュアルデータ再生装置が、複数の部屋に配置され、前記第２のグループＩＤ記憶部の前記グループＩＤが、前記部屋の利用目的毎に割り当てられていることを特徴とする請求項２に記載のオーディオ・ビジュアルデータ通信システムである。
【０００８】
また、請求項４に記載の発明は、オーディオ・ビジュアルデータ再生装置に対して電力線を介してデータを送信するオーディオ・ビジュアルデータ送信装置であって、前記オーディオ・ビジュアルデータ再生装置ごとに割り当てられる固有のＩＤである識別ＩＤ、同一のオーディオ・ビジュアルデータを識別するためのＩＤであるグループＩＤ、及び、オーディオ・ビジュアルデータを記憶するデータ記憶部と、前記オーディオ・ビジュアルデータ再生装置に送信するデータの変更を要求するためのメッセージを受信するメッセージ受信部と、前記メッセージ受信部が受信したメッセージに従って、前記オーディオ・ビジュアルデータ再生装置に対して送信するデータを設定するデータ設定部と、前記データ記憶部に記憶されているデータと前記データ設定部で設定されたデータを参照して、送信データを生成するデータ生成部と、前記データ生成部で生成された送信データを、前記オーディオ・ビジュアルデータ再生装置に対して電力線を介して送信するデータ送信部とを有することを特徴とするオーディオ・ビジュアルデータ送信装置である。
【０００９】
また、請求項５に記載の発明は、前記データ設定部が、オーディオ・ビジュアルデータの音量、あるいは、オーディオ・ビジュアルデータの種類、あるいは、オーディオ・ビジュアルデータの送信元であるオーディオ・ビジュアルデータ送信装置を変更するための設定を行うことを特徴とする請求項４に記載のオーディオ・ビジュアルデータ送信装置である。
【００１０】
また、請求項６に記載の発明は、オーディオ・ビジュアルデータ送信装置から電力線を介してデータを受信するオーディオ・ビジュアルデータ再生装置であって、前記オーディオ・ビジュアルデータ再生装置ごとに割り当てられる固有のＩＤである識別ＩＤ、及び、同一のオーディオ・ビジュアルデータを識別するためのＩＤであるグループＩＤを記憶するデータ記憶部と、前記データ記憶部に記憶されているデータを参照することにより、前記オーディオ・ビジュアルデータ送信装置から電力線を介して送信されるデータを受信するか否かを決定するデータ受信部と、前記データ受信部が受信したデータを再生するオーディオ・ビジュアルデータ再生部と、前記オーディオ・ビジュアルデータ再生部で再生するデータを変更するための指示を入力する指示入力部と、前記指示入力部から入力された指示に基づいて、前記オーディオ・ビジュアルデータ送信装置に対して送信するデータの変更を要求するためのメッセージを生成するメッセージ生成部と、前記メッセージ生成部が生成したメッセージを電力線を介して前記オーディオ・ビジュアルデータ送信装置に対して送信するメッセージ送信部とを有することを特徴とするオーディオ・ビジュアルデータ再生装置である。
【発明の効果】
【００１１】
本発明では、オーディオ・ビジュアルデータ再生装置の指示入力部を介してユーザの指示を入力し、その指示に基づいてオーディオ・ビジュアルデータ送信装置のデータ設定部において、オーディオ・ビジュアルデータ再生装置に対して送信するデータの設定を行うようにした。
このため、オーディオ・ビジュアルデータ送信装置とオーディオ・ビジュアルデータ再生装置とが別々の部屋に設置されているような場合であっても、ユーザはオーディオ・ビジュアルデータ送信装置の操作を行うことなく、オーディオ・ビジュアルデータ再生装置から音量等の変更を行うことができる。よって、ユーザの利便性を向上させることができる。
【００１２】
また、本発明では、オーディオ・ビジュアルデータ送信装置の第１のグループＩＤ記憶部と、オーディオ・ビジュアルデータ再生装置の第２のグループＩＤ記憶部の双方において、グループＩＤを記憶するようにした。そして、オーディオ・ビジュアルデータ送信装置から送信されるデータに含まれるグループＩＤと、第２のグループＩＤ記憶部に記憶されているグループＩＤが一致する場合にオーディオ・ビジュアルデータ再生装置がデータを受信するようにした。
このため、電力線にオーディオ・ビジュアルデータ送信装置が、複数台接続されているような場合であっても、グループＩＤによって識別を行うことにより、オーディオ・ビジュアルデータ再生装置において同一のグループＩＤを有するオーディオ・ビジュアルデータの再生を行うことが可能となる。
さらに、本発明では、第２のグループＩＤ記憶部のグループＩＤが、部屋の利用目的毎に割り当てられているので、ホテルや学校等において、関係のない部屋や利用していない部屋への放送（再生）を行わないように設定でき、効率的な再生が可能である。特に、ホテル等において利用者の使用言語に応じて利用者の利用する部屋を設定することにより、緊急放送など利用者に対応した言語での放送が可能になり、施設利用の安全性を向上させることができる。
【発明を実施するための最良の形態】
【００１３】
以下、図面を参照し、本発明の第１実施形態について説明する。
図２は、本発明の第１実施形態によるオーディオデータ通信システムの構成図である。
本実施形態のオーディオデータ通信システムは、オーディオデータ送信装置２ａ、オーディオデータ再生スピーカ３を有する。なお、本実施形態では、オーディオデータ再生スピーカ３として、オーディオデータ再生スピーカ３ａ、３ｂ、３ｃ、３ｄが設置されている場合について説明する。
【００１４】
オーディオデータ送信装置２ａ、オーディオデータ再生スピーカ３ａ、３ｂが設置されている部屋ｒ１と、オーディオデータ再生スピーカ３ｃ、３ｄが設置されている部屋ｒ２は、壁ｗ１により仕切られている。
部屋ｒ１と部屋ｒ２には、家電製品などに電力を供給するために使用される電力線１が敷設されている。部屋ｒ１には、電力線１から電力を得るためのコンセント４ａ〜４ｃが設置されている。また、部屋ｒ２にも同様にコンセント４ｄ、４ｃが設置されている。
【００１５】
オーディオデータ送信装置２ａはコンセント４ａに接続されている。また、オーディオデータ再生スピーカ３ａ、３ｂは、それぞれコンセント４ｂ、４ｃに接続されている。
また、オーディオデータ再生スピーカ３ｃ、３ｄは、それぞれコンセント４ｄ、４ｅに接続されている。これにより、電力線１からは、オーディオデータ送信装置２ａ及びオーディオデータ再生スピーカ３ａ〜３ｄに対して、それぞれの装置を駆動するための電力が供給される。
なお、本実施形態では、電力線１を電力の供給源としてだけではなく、データ通信にも使用しており、電力線１を介して、オーディオデータ送信装置２ａ及びオーディオデータ再生スピーカ３ａ〜３ｄの間で、電力線通信を行うことができるようになっている。
【００１６】
本実施形態のオーディオデータ通信システムでは、部屋ｒ１に設置されているオーディオデータ再生スピーカ３ａ、３ｂと、部屋ｒ２に設置されているオーディオデータ再生スピーカ３ｃ、３ｄには、それぞれ異なるグループＩＤである「ＩＤ１」、「ＩＤ２」が割り当てられている。
オーディオデータ送信装置２ａからは、それぞれのグループＩＤに対応するオーディオデータが送信され、それぞれのグループＩＤを有するオーディオデータ再生スピーカ３ａ及び３ｂ、３ｃ及び３ｄから異なるオーディオデータが再生される。
【００１７】
次に、オーディオデータ送信装置２の構造について詳細に説明する。
図３は、本実施形態のオーディオデータ送信装置２の構成を示すブロック図である。
本実施形態のオーディオデータ送信装置２は、データ記憶部２０、データ生成部２４、データ送信部２５、メッセージ受信部２６、データ設定部２７を有している。
メッセージ受信部２６は電力線１を介して、オーディオデータ再生スピーカ３から送信されてくるメッセージを受信するとともに、データ設定部２７に対して受信したメッセージを出力する。
【００１８】
データ設定部２７は、音量設定部２７ａ、データ設定部２７ｂ、送信先設定部２７ｃを有している。データ設定部２７は、メッセージ受信部２６からメッセージが入力されると、メッセージの内容に応じて音量設定部２７ａ、データ設定部２７ｂ、送信先設定部２７ｃにメッセージを振り分ける。
例えば、データ設定部２７が受信したメッセージに「音量を大きくして下さい」という指示が含まれていた場合には、音量設定部２７ａにメッセージが振り分けられ、メッセージに含まれる指示に従って音量の調節が行われる。
【００１９】
また、データ設定部２７が受信したメッセージに「所定のオーディオデータを送信して下さい」という指示が含まれていた場合には、データ設定部２７ｂにメッセージが振り分けられ、メッセージに含まれる指示に従って、オーディオデータ再生スピーカ３に対して送信するデータの種類の設定が行われる。
これは、例えば、本実施形態のオーディオデータ通信システムを、５．１チャンネルのドルビー・サラウンド・システムに適用する場合などに有効である。つまり、１つのオーディオデータ送信装置２ａ（図２）に対して複数のオーディオデータ再生スピーカ３ａ、３ｂ（図２）が設置されている場合に、複数存在するオーディオデータを複数のオーディオデータ再生スピーカ３ａ、３ｂにそれぞれ割り当てて再生する場合に効果的である。
【００２０】
データ記憶部２０は、グループＩＤ記憶部２１、識別ＩＤ記憶部２２、オーディオデータ記憶部２３を有している。
オーディオデータ記憶部２３には、オーディオデータ送信装置２からオーディオデータ再生スピーカ３に対して送信するためのオーディオデータが記録されている。オーディオデータ記憶部２３に記憶されるオーディオデータは、例えば、クラシック音楽のデータなどである。
識別ＩＤ記憶部２２には、それぞれのオーディオデータ送信装置２に固有の識別ＩＤが記憶されている。電力線１に複数のオーディオデータ送信装置２が接続されているような場合であっても、識別ＩＤを参照することによりそれぞれのオーディオデータ送信装置を識別することができる。
【００２１】
グループＩＤ記憶部２１には、グループＩＤが記憶されている。グループＩＤは、同一のオーディオデータを識別するためのＩＤである。例えば、グループＩＤは、５．１チャンネルのドルビー・サラウンド・システムを構成するオーディオデータ送信装置とオーディオデータ再生スピーカの間で共有される。これは、電力線１に複数のドルビー・サラウンド・システムを利用したオーディオデータ通信システムが接続される場合に、各ドルビー・サラウンド・システムを識別するためなどに利用される。
例えば、図２において、オーディオデータ送信装置２ａとオーディオデータ再生スピーカ３ａ、３ｂには「ＩＤ１」というグループＩＤが割り当てられるとともに、オーディオデータ送信装置２ａとオーディオデータ再生スピーカ３ｃ、３ｄには「ＩＤ２」というグループＩＤが割り当てられる。
【００２２】
図３においてデータ生成部２４は、グループＩＤ記憶部２１、識別ＩＤ記憶部２２、オーディオデータ記憶部２３、データ設定部２７から入力されるデータに基づいて、オーディオデータ送信装置２からオーディオデータ再生スピーカ３に出力するパケットを生成する。
図４にデータ生成部２４が生成するパケット５の構成の一例を示す。パケット５は、グループＩＤ・５ａ、パケット情報５ｂ、識別ＩＤ・５ｃ、オーディオデータ５ｄのデータを含んでいる。
【００２３】
グループＩＤ・５ａは、グループＩＤ記憶部２１（図３）から入力される「グループＩＤ」のデータに基づいて生成される。パケット５に「グループＩＤ」のデータが含まれているため、特定のドルビー・サラウンド・システムを構成するオーディオデータ再生スピーカにのみパケット５のデータを受信させることができる。
パケット情報５ｂは、パケット５が何に関する情報を含んでいるのかを記録しているデータである。例えば、パケット情報５ｂには、ドルビー・サラウンド・システムに用いられる６つのオーディオデータのうち、パケット５にどのオーディオデータが含まれているか等のデータが記録される。
【００２４】
識別ＩＤ・５ｃは、識別ＩＤ記憶部２２（図３）から入力される「識別ＩＤ」のデータに基づいて生成される。パケット５に「識別ＩＤ」のデータが含まれているため、オーディオデータ送信装置２が電力線１に複数台接続されるような場合であっても、パケット５がどのオーディオデータ送信装置から送信されたものであるかを識別することができる。
データ生成部２４で生成されたパケット５（図４）は、データ送信部２５に出力される。そして、データ送信部２５から電力線１を介してオーディオデータ再生スピーカ３に対してパケット５が送信される。
【００２５】
次に、オーディオデータ再生スピーカ３（図２）の構造について詳細に説明する。
図１は、本実施形態のオーディオデータ再生スピーカ３の構成を示すブロック図である。
オーディオデータ再生スピーカ３は、メッセージ送信部３１、メッセージ生成部３２、指示入力部３３、データ記憶部３４、データ受信部３５、オーディオ再生部３６を有している。
データ記憶部３４は、グループＩＤ記憶部３４ａと識別ＩＤ記憶部３４ｂを有している。
グループＩＤ記憶部３４ａには、グループＩＤが記憶されている。オーディオデータ送信装置２が電力線１に複数接続されている場合に、オーディオデータ再生スピーカ３がどのオーディオデータ送信装置２から送信されるオーディオデータを再生するかを決定する際に利用される。
【００２６】
識別ＩＤ記憶部３４ｂには、それぞれのオーディオデータ再生スピーカ３に固有の識別ＩＤが記憶されている。グループＩＤ記憶部３４ａにグループＩＤが記憶されているため、オーディオデータ再生スピーカ３は、どのオーディオデータ送信装置２から送信されるパケット５（図４）のデータを受信するかを決定することができる。
しかし、グループＩＤだけでは、ドルビー・サラウンド・システムから出力される６つのオーディオデータのうち、いずれのオーディオデータを受信すればよいのかを決定することはできない。そのために、同じグループＩＤを有するオーディオデータ再生スピーカ３に、どのオーディオデータを割り当てるかを識別する際にオーディオデータ再生スピーカ３の識別ＩＤが利用される。
【００２７】
データ受信部３５は電力線１に接続されており、所定のオーディオデータ送信装置２から送信されるパケット５（図４参照）を受信する。データ受信部３５は、データ記憶部３４に記憶されている「識別ＩＤ」や「グループＩＤ」を参照することにより、パケット５を受信するか否かを決定する。
データ受信部３５が、オーディオデータ再生スピーカ３に割り当てられたパケット５を受信した場合には、オーディオデータ再生部３６に対してパケット５を出力する。オーディオデータ再生部３６では、スピーカからクラシック音楽などが出力される。
【００２８】
指示入力部３３は、オーディオデータ再生スピーカ３を利用しているユーザからの指示を入力する。指示入力部３３には、オーディオデータ再生部３６のスピーカの音量を調節するための指示や、オーディオデータ再生部３６で再生される音楽の種類を変更するための指示や、データの送信元であるオーディオデータ送信装置２を変更するための指示などが入力される。
なお、指示入力部３３は、リモコンを介してユーザの指示を入力するように構成してもよいし、ユーザがオーディオデータ再生スピーカ３に設けられるボタンなどから直接指示を入力するように構成してもよい。
【００２９】
指示入力部３３から入力されたユーザの指示は、メッセージ生成部３２に出力される。メッセージ生成部３２では、指示入力部３３から入力されるユーザの指示に基づいて、オーディオデータ送信装置２に対して、送信するデータの変更を要求するメッセージが生成される。
メッセージ生成部３２で生成されたメッセージは、メッセージ送信部３１に対して出力される。メッセージ送信部３１は、メッセージ生成部３２から入力されたメッセージを電力線１を介してオーディオデータ送信装置２に対して送信する。
【００３０】
次に、本発明の実施形態のオーディオデータ通信システムを使用して、オーディオデータ再生スピーカ３で出力するオーディオデータの音量を変更する場合について、図５に示したシーケンス図を参照して説明する。
ユーザがオーディオデータ再生スピーカ３で音楽を聞いている際に、音量を大きくしたいと思った場合、ユーザはリモコンなどを利用してオーディオデータ再生スピーカ３の指示入力部３３に対して指示を送る。
ユーザから要求された「音量を大きくして下さい」という指示は、リモコンなどを介して指示入力部３３に入力される（ステップＳ０１）。
【００３１】
次に、指示入力部３３に入力されたユーザの指示に基づき、メッセージ生成部３２において「音量を大きくして下さい」という指示を含むメッセージが生成される（ステップＳ０２）。
そして、メッセージ生成部３２で生成されたメッセージは、メッセージ送信部３１に入力され、電力線１を介して、オーディオデータ送信装置２に対して送信される（ステップＳ０３）。
オーディオデータ再生スピーカ３から送信されたメッセージのデータは、オーディオデータ送信装置２のメッセージ受信部２６で受信される（ステップＳ０４）。その後、メッセージ受信部２６で受信されたデータはデータ設定部２７に出力される。
【００３２】
データ設定部２７は、受信したメッセージに含まれる「音量を大きくして下さい」という指示に基づいて、オーディオデータ再生スピーカ３に対して送信するオーディオデータの音量を大きくするように設定する（ステップＳ０５）。
データ生成部２４では、音量設定部２７ａが設定した音量と、オーディオデータ記憶部２３から入力されるデータを組み合わせることにより、オーディオデータ再生スピーカ３に送信するパケット５（図４）のデータを生成する（ステップＳ０６）。
【００３３】
データ送信部２５では、データ生成部２４において生成されたパケット５のデータを、電力線１を介してオーディオデータ再生スピーカ３に対して送信する（ステップＳ０７）。
オーディオデータ再生スピーカ３のデータ受信部３５では、電力線１を介してオーディオデータ送信装置２から送信されてくるパケット５のデータを受信する（ステップＳ０８）。
オーディオデータ再生部３６は、データ受信部３５から入力されるパケット５のデータを再生することにより、音量が大きく設定されたオーディオデータがスピーカから出力される（ステップＳ０９）。
【００３４】
本実施形態によれば、図２に示したオーディオデータ通信システムに更に、電力線１を介して、オーディオデータ送信装置２ｂ及びオーディオデータ再生スピーカ３ｅ、３ｆを接続したような場合であっても、各部屋ｒ１〜ｒ３ごとにドルビー・サラウンド・システムを利用して音楽を楽しむことができる。
図６において、オーディオデータ再生スピーカ３ａと３ｂは、グループＩＤとして「ＩＤ１」を有しており、オーディオデータ送信装置２ａから送信されるオーディオデータを再生することにより、部屋ｒ１においてグループＩＤが「ＩＤ１」で特定される音楽を再生することができる。
【００３５】
また、オーディオデータ再生スピーカ３ｅと３ｆは、グループＩＤとして「ＩＤ３」を有しており、オーディオデータ送信装置２ｂから送信されるオーディオデータを再生することにより、部屋ｒ３においてグループＩＤが「ＩＤ３」で特定される音楽を楽しむことができる。
なお、部屋ｒ２に設置されるオーディオ再生スピーカ３ｃと３ｄは、グループＩＤとして「ＩＤ２」を有している。グループＩＤが「ＩＤ２」で特定されるオーディオデータは、オーディオデータ送信装置２ａと２ｂの双方に記憶されているため、オーディオ再生スピーカ３ｃと３ｄは、オーディオデータ送信装置２ａ、２ｂのどちらからオーディオデータを受信して再生してもよい。オーディオ再生スピーカ３ｃと３ｄが、オーディオデータ送信装置２ａ、２ｂのどちらのオーディオデータを受信するかは、パケット５に含まれるオーディオデータ送信装置の識別ＩＤ・５ｃにより決定される。
【００３６】
図６において、オーディオデータ再生スピーカ３ｄが故障して代わりに別のオーディオデータ再生スピーカをコンセント４ｅに接続したような場合であっても、グループＩＤの設定だけ行えば、その他の特別な設定を行わなくても新たに取り付けたオーディオ再生スピーカを使用して音楽を楽しむことができる。
このように、グループＩＤごとに１つのオーディオデータ通信システムを管理することによって、例えば、あるオーディオデータ再生スピーカ３から音量を上げるように指示が出された場合に、同じグループＩＤを有する他のオーディオデータ再生スピーカ３に対しても音量を上げるように制御することが可能となる。
【００３７】
上述した本発明の第１実施形態によるオーディオデータ通信システムによれば、オーディオデータ送信装置２とオーディオデータ再生スピーカ３とで、通信チャネルを分けることができるため、通信効率を向上させることができる。
また、オーディオデータ再生スピーカ３は、特定のオーディオデータ送信装置２から送信されるデータのみを受信すれば良いため、オーディオデータ再生スピーカ３の受信機能を簡略化することができる。
更に、オーディオデータ送信装置２が、同一のグループＩＤが割り当てられたオーディオデータ再生スピーカ３を一括して制御することにより、オーディオデータ送信装置２の通信時の負担を軽減させることができる。
なお、上述した実施形態では、電力線１を介してオーディオデータの送受信を行う場合について説明したが、これに限定されるものではなく、電力線１を介してビジュアルデータの送受信を行うことも可能である。
【００３８】
次に、本発明の第２実施形態について、図７を参照して説明する。なお、以下の実施形態の説明において、上記実施形態において説明した同一の構成要素には同一の符号を付し、その説明は省略する。
【００３９】
第２実施形態と第１実施形態との異なる点は、第１実施形態では、オーディオデータ再生スピーカ３ａ〜３ｆが部屋ｒ１、ｒ２、ｒ３毎にグループＩＤを割り当てられているのに対し、第２実施形態では、オーディオデータ再生スピーカ３におけるグループＩＤ記憶部３４ａのグループＩＤが、図７に示すように、部屋ｒ１、ｒ２、ｒ３の利用目的毎に割り当てられている点である。
【００４０】
従来、ホテルや学校等の複数の部屋が存在する施設では、全部屋において同一の情報（放送内容）で報知するように設定されている。しかしながら、報知する情報と関係のない利用者は、放送される情報に注意して聞き入るために、作業が中断する等の不都合があった。また、関係のない部屋や利用されていない部屋にも、画一的に再生が行われるため、効率的でないという不都合があった。さらには、緊急放送等で言語が固定されているため、海外からの宿泊者等、利用する言語が異なる利用者にとっては理解が遅れて緊急時の対応が遅れるなどのおそれがあった。
【００４１】
そこで、第２実施形態では、各部屋ｒ１、ｒ２、ｒ３に設置されるオーディオデータ再生スピーカ３ａ〜３ｆにおいて、それぞれ部屋ｒ１、ｒ２、ｒ３の利用目的毎にグループＩＤを割り当てることで、オーディオデータ送信装置２ａ、２ｂから利用目的毎のグループＩＤに対して必要情報を送信するようにしている。
【００４２】
例えば、部屋ｒ１、ｒ２、ｒ３がホテルの宿泊部屋であって、部屋ｒ１及び部屋ｒ２が国内の宿泊客用に利用目的が設定されていると共に、部屋ｒ３が、海外からの宿泊客用に利用目的が設定されているとすると、部屋ｒ１及び部屋ｒ２のオーディオデータ再生スピーカ３ａ〜３ｄには、グループＩＤ「ＩＤ１」が割り当てられると共に、部屋ｒ３のオーディオデータ再生スピーカ３ｅ、３ｆには、グループＩＤ「ＩＤ２」が割り当てられる。この設定において、緊急放送を送信する場合、国内の宿泊客（利用者）が利用する部屋ｒ１及び部屋ｒ２には、オーディオデータ送信装置２ａからグループＩＤ「ＩＤ１」を含んだ日本語の緊急放送情報（オーディオデータ）を電力線１を介して送信し、グループＩＤ「ＩＤ１」が割り当てられた部屋ｒ１及び部屋ｒ２のオーディオデータ再生スピーカ３ａ〜３ｄのみで日本語の緊急放送の再生が行われる。
【００４３】
一方、オーディオデータ送信装置２ｂからは、グループＩＤ「ＩＤ２」を含んだ海外からの宿泊客（利用者）に対応した外国語（例えば、英語）の緊急放送情報（オーディオデータ）を電力線１を介して送信し、グループＩＤ「ＩＤ２」が割り当てられた部屋ｒ３のオーディオデータ再生スピーカ３ｅ、３ｆのみで外国語の緊急放送の再生が行われる。
【００４４】
また、本実施形態を別の施設として学校に適用した場合、例えば、部屋ｒ１及び部屋ｒ２が高学年の教室に利用目的が設定されていると共に、部屋ｒ３が低学年の教室に利用目的が設定されているとする。この設定において、構内放送を送信する場合、高学年の教室である部屋ｒ１及び部屋ｒ２には、オーディオデータ送信装置２ａからグループＩＤ「ＩＤ１」を含んだ高学年用放送（オーディオデータ）を電力線１を介して送信し、グループＩＤ「ＩＤ１」が割り当てられた部屋ｒ１及び部屋ｒ２のオーディオデータ再生スピーカ３ａ〜３ｄのみで高学年用放送の再生が行われる。
【００４５】
一方、オーディオデータ送信装置２ｂからは、グループＩＤ「ＩＤ２」を含んだ低学年用放送（オーディオデータ）を電力線１を介して送信し、グループＩＤ「ＩＤ２」が割り当てられた部屋ｒ３のオーディオデータ再生スピーカ３ｅ、３ｆのみで低学年用放送の再生が行われる。
なお、各オーディオデータ再生スピーカ３ａ〜３ｆでは、部屋ｒ１、ｒ２、ｒ３の利用者に応じて利用者又は管理者が予めグループＩＤ記憶部３４ａのグループＩＤを任意に変更可能にしても構わない。また、この変更を、オーディオデータ送信装置２ａ、２ｂから制御信号をオーディオデータ再生スピーカ３ａ〜３ｆに電力線１を介して送信することで、行えるように設定しても構わない。
【００４６】
このように、第２実施形態では、オーディオデータ再生スピーカ３ａ〜３ｆにおけるグループＩＤ記憶部３４ａのグループＩＤ「ＩＤ１」「ＩＤ２」が、部屋ｒ１、ｒ２、ｒ３の利用目的毎に割り当てられているので、ホテルや学校等において、関係のない部屋や利用していない部屋への放送（再生）を行わないように設定でき、効率的な再生が可能である。特に、ホテル等において利用者の使用言語に応じて利用者の利用する部屋を設定することにより、緊急放送など利用者に対応した言語での放送が可能になり、施設利用の安全性を向上させることができる。
【００４７】
以上、本発明の実施形態について図面を参照して説明したが、具体的な構成についてはこれらの実施の形態に限定されるものではなく、本発明の要旨を逸脱しない範囲の設計変更等が可能である。
【産業上の利用可能性】
【００４８】
５．１チャンネルのドルビー・サラウンド・システムに本発明による電力線を介したオーディオデータ通信システムを適用することが可能である。
【図面の簡単な説明】
【００４９】
【図１】本発明の第１実施形態によるオーディオデータ再生スピーカ３の構成を示すブロック図である。
【図２】第１実施形態のオーディオデータ通信システムの構成図である。
【図３】第１実施形態のオーディオデータ送信装置２の構成を示すブロック図である。
【図４】オーディオデータ送信装置２から送信されるパケット５の一例である。
【図５】オーディオデータ再生スピーカ３から音量を変化させる場合の処理の流れを示すシーケンス図である。
【図６】第１実施形態のオーディオデータ通信システムの構成図である。
【図７】本発明の第２実施形態のオーディオデータ通信システムの構成図である。
【符号の説明】
【００５０】
１…電力線、２（２ａ、２ｂ）…オーディオデータ送信装置、２０…データ記憶部、２４…データ生成部、２５…データ送信部、２６…メッセージ受信部、２７…データ設定部、３（３ａ〜３ｆ）…オーディオデータ再生スピーカ、３１…メッセージ送信部、３２…メッセージ生成部、３３…指示入力部、３４…データ記憶部、３５…データ受信部、３６…オーディオ再生部、４（４ａ、４ｂ、４ｃ、４ｄ、４ｆ、４ｇ、４ｈ）…コンセント、５…パケット
【図１】
2006101496.tif 000003
【図２】
2006101496.tif 000004
【図３】
2006101496.tif 000005
【図４】
2006101496.tif 000006
【図５】
2006101496.tif 000007
【図６】
2006101496.tif 000008
【図７】
2006101496.tif 000009